【手続補正書】
【提出日】平成26年4月10日(2014.4.10)
【手続補正１】
【補正対象書類名】特許請求の範囲
【補正対象項目名】全文
【補正方法】変更
【補正の内容】
【特許請求の範囲】
【請求項１】
オーバーモールドされた容器を作るための方法であって、
熱可塑性ポリマーを含むプリフォームを容器に対して提供する工程と、
オーバーモールドされたプリフォームを形成するために、前記プリフォームの少なくとも一部上にエラストマーのオーバーモールド材料をオーバーモールドする工程と、
オーバーモールドされた容器を形成するために、前記オーバーモールドされたプリフォームを延伸ブロー成形する工程と、を含み、
前記延伸ブロー成形工程は、軸方向の延伸ロッドを使って前記プリフォームを軸方向に延伸すると共に、前記エラストマーのオーバーモールド材料を、前記容器の外面の少なくとも一部に適合するように延伸し、且つ、分離可能に固定するように機能する、方法。
【請求項２】
前記オーバーモールドされた容器が飲料容器である、請求項１に記載の方法。
【請求項３】
前記熱可塑性ポリマーが１つまたは複数のポリエステルを含む、請求項１又は２に記載の方法。
【請求項４】
前記熱可塑性ポリマーがポリエチレンテレフタレート共重合体を含む、請求項３に記載の方法。
【請求項５】
前記オーバーモールド材料が熱可塑性エラストマーを含む、請求項１ないし４のいずれか一項に記載の方法。
【請求項６】
前記オーバーモールド材料が、ポリオレフィンエラストマー、ポリオレフィンプラストマー、変性ポリオレフィンエラストマー、変性ポリオレフィンプラストマー、およびそれらの組合せからなるグループから選択される、請求項１ないし４のいずれか一項に記載の方法。
【請求項７】
前記オーバーモールド材料がアクリルオレフィン共重合体エラストマー、ポリエステルエラストマー、およびそれらの組合せからなるグループから選択される、請求項１ないし４のいずれか一項に記載の方法。
【請求項８】
前記オーバーモールド材料の密度が１．００ｇ／ｃｃ未満である、請求項１ないし７のいずれか一項に記載の方法。
【請求項９】
前記オーバーモールド材料が１つまたは複数の添加剤をさらに含む、請求項１ないし８のいずれか一項に記載の方法。
【請求項１０】
前記１つまたは複数の添加剤が、着色剤、紫外線遮断剤、潤滑剤、スリップ剤、加工助剤、酸化防止剤、抗菌剤、熱安定剤、およびそれらの組合せからなるグループから選択される、請求項９に記載の方法。
【請求項１１】
前記延伸ブロー成形工程が、前記オーバーモールドされたプリフォームを予熱し、次に前記予熱されたプリフォームを延伸ブロー成形することを含む、請求項１ないし１０のいずれか一項に記載の方法。
【請求項１２】
前記オーバーモールド材料が、前記オーバーモールドされた容器の外面の大部分を覆う、請求項１ないし１１のいずれか一項に記載の方法。
【請求項１３】
延伸ブロー成形された容器であって、
外面および内部空間を有する容器本体と、
熱可塑性エラストマーを含むオーバーモールド層であって、オーバーモールドされた熱可塑性ポリマープリフォームを圧縮空気及び延伸ロッドで延伸ブロー成形することによって前記容器本体の外面の少なくとも一部に適合するように延伸されて分離可能に固定されているオーバーモールド層と、を備えた容器。
【請求項１４】
前記容器本体は、１以上の側壁、閉じたベース及び開放端部の口を有する容器の形状である、請求項１３に記載の容器。
【請求項１５】
前記熱可塑性ポリマーが１つまたは複数のポリエステルを含む、請求項１３又は１４に記載の容器。
【請求項１６】
前記熱可塑性ポリマーがポリエチレンテレフタレート共重合体を含む、請求項１３又は１４に記載の容器。
【請求項１７】
前記オーバーモールド層が、ポリオレフィンエラストマー、ポリオレフィンプラストマー、変性ポリオレフィンエラストマー、変性ポリオレフィンプラストマー、およびそれらの組合せからなるグループから選択される、請求項１３に記載の容器。
【請求項１８】
前記オーバーモールド層が、アクリルオレフィン共重合体エラストマー、ポリエステルエラストマー、およびそれらの組合せからなるグループから選択されるオーバーモールド材料を含む、請求項１３に記載の容器。
【請求項１９】
前記オーバーモールド層が、密度が１．００ｇ／ｃｃ未満であるオーバーモールド材料を含む、請求項１３ないし１８のいずれか一項に記載の容器。
【請求項２０】
前記オーバーモールド層が１つまたは複数の添加剤をさらに含む、請求項１３ないし１９のいずれか一項に記載の容器。
【請求項２１】
前記１つまたは複数の添加剤が、着色剤、紫外線遮断剤、潤滑剤、スリップ剤、加工助剤、酸化防止剤、抗菌剤、熱安定剤およびそれらの組合せからなるグループから選択される、請求項２０に記載の容器。
【請求項２２】
前記オーバーモールド層が前記オーバーモールドされた容器の外面の大部分を覆う、請求項１３ないし２１のいずれか一項に記載の容器。
【請求項２３】
前記オーバーモールド層の厚さが０．１ｍｍ〜５ｍｍである、請求項１３ないし２２のいずれか一項に記載の容器。
【請求項２４】
前記ボトルは、円筒形であると共に、開放端部の口とキャッピングフランジとを有し、
前記ネック仕上げは、前記開放端部の口と前記キャッピングフランジとの間に配置されている外ネジを含む、請求項１４に記載の容器。
【請求項２５】
前記オーバーモールド層は、基端部と、キャッピングフランジで終端する当該オーバーモールド層の縁部を有する側壁と、を覆う、請求項２４に記載の容器。
【請求項２６】
前記オーバーモールド層が、前記基端部、前記側壁、および前記キャッピングフランジを覆う、請求項２４に記載の容器。
【請求項２７】
前記オーバーモールド層の硬度が、ショアＤ３０未満である、請求項１３ないし２６のいずれか一項に記載の容器。
【請求項２８】
容器詰飲料であって、
請求項１３ないし２７のいずれか一項に記載の容器と、
前記容器の前記内部空間内に配置される飲料とを含む容器詰飲料。
【請求項２９】
容器詰飲料であって、
少なくとも１つのＰＥＴ共重合体から形成され、延伸ブロー成形されたボトルと、
熱可塑性エラストマーを含むオーバーモールド層であって、前記ボトルの外面の少なくとも一部上に適合するように延伸されて分離可能に固定される前記オーバーモールド層と、
前記ボトルの内部に配置された飲料と、を含む容器詰飲料。
【請求項３０】
前記延伸ブロー成形されたボトルは、基端部、側壁及びネック仕上げを有し、
前記ネック仕上げは、開放端部の口とキャッピングフランジとの間に配置された外ネジを有し、
前記オーバーモールド層は、前記キャッピングフランジで又はその下で終端する上端を有する、請求項２９に記載の容器詰飲料。
【請求項３１】
前記熱可塑性エラストマーがポリオレフィンプラストマーを含む、請求項２９又は３０に記載の容器詰飲料。
【請求項３２】
前記オーバーモールド層が機械加工によりＰＥＴ共重合体から分離可能である、請求項２９ないし３１のいずれか一項に記載の容器詰飲料。
【請求項３３】
オーバーモールドされた容器をリサイクルするための方法であって、
請求項１３ないし２７のいずれか一項に記載の容器を複数の破片に細断、粉砕、裁断又は切削する工程と、
空気分離工程又は浮沈分離工程を使用して前記オーバーモールド層の破片を前記容器本体の破片から分離する工程と、を含む方法。
【請求項３４】
前記延伸ブロー成形工程は、ショアＤ３０未満のエラストマーのオーバーモールド材料をもたらす、請求項１に記載の方法。